(57)【要約】【課題】ひとの食事と犬の食事とを明確に区別することができる給仕用トレイを提供する。【解決手段】給仕用トレイ１１は、底板１２と、底板１２の周縁から立ち上がって底板１２を囲み、底板１２の表面から第１高さＨＬを有する囲い１３と、底板１２の表面から立ち上がって第１高さＨＬよりも高い第２高さＨＨを有し、囲い１３で囲まれる空間を分割する仕切り１４とを備える。【選択図】図２
0003220112.tif 000002
【実用新案登録請求の範囲】
【請求項１】
底板と、
前記底板の周縁から立ち上がって前記底板を囲み、前記底板の表面から第１高さを有する囲いと、
前記底板の表面から立ち上がって前記第１高さよりも高い第２高さを有し、前記囲いで囲まれる空間を分割する仕切りと
を備えることを特徴とする給仕用トレイ。
【請求項２】
請求項１に記載の給仕用トレイにおいて、前記第２高さは、前記底板上に載せられる食器よりも高いことを特徴とする給仕用トレイ。
【考案の詳細な説明】
【技術分野】
【０００１】
本考案は、底板と、底板の周縁から立ち上がって底板を囲む囲いとを備える給仕用トレイに関する。
【背景技術】
【０００２】
特許文献１は給仕用のトレイ（盆）を開示する。トレイは、底板の周縁から立ち上がって底板を囲む囲いを備える。底板上に食器類は載せられる。囲いは、底板の周縁から食器類のこぼれ落ちを防止する。トレイは、食事の配膳にあたって利用されることができるだけでなく、食事後の後片付けで食器の運搬にあたって利用されることができる。
【先行技術文献】
【特許文献】
【０００３】
【特許文献１】特開２００８−２８９６４８号公報
【考案の概要】
【考案が解決しようとする課題】
【０００４】
例えば店内でひとの食事とペットの食事とを提供する飲食店は提案される。飼い主は、ペットと同じテーブルで食事できることを喜ぶ。その一方で、飼い主以外のひとの中には、犬に対して愛着を感じるけれども、犬の食事の配膳および後片付けと、自分の食事の配膳および後片付けとが１つのトレイで実施されることを好まないひとたちもいる。ひとにも犬にも同じ素材で食事が作られるとしても、運搬時に犬の食事が食器から溢れ、ひとの食事に混ざることを好まないひともいる。
【０００５】
本考案は、ひとの食事と犬の食事とを明確に区別することができる給仕用トレイを提供することを目的とする。
【課題を解決するための手段】
【０００６】
本考案の一側面によれば、底板と、底板の周縁から立ち上がって底板を囲み、底板の表面から第１高さを有する囲いと、底板の表面から立ち上がって第１高さよりも高い第２高さを有し、囲いで囲まれる空間を分割する仕切りとを備える給仕用トレイは提供される。
【０００７】
仕切りで仕切られる一方の空間と、他方の空間とでそれぞれ底板上に食器は載せられることができる。囲いよりも高い仕切りで区分けされるので、ひとは、視覚的にも、ひとの食事と犬の食事とを明確に区別することができる。犬に対して愛着を感じるけれども、犬の食事の配膳および後片付けと、自分の食事の配膳および後片付けとが１つのトレイで実施されることを好まないひとであっても、不快を感じずに済む。特に、仕切りが高く設定されることで、運搬時に犬の食事が食器から溢れても、仕切りを越えてひとの食事に混ざることは防止されることができる。ひとにも犬にも同じ素材で食事が作られるとしても、運搬時に犬の食事が食器から溢れ、ひとの食事に混ざることを好まないひとであっても、不快を感じずに済む。
【０００８】
第２高さは、底板上に載せられる食器よりも高いとよい。こうすることで食器から溢れる食事は仕切りを越えて他方の空間に進入することはない。店舗なので、仕切りの高さに合わせて使用される食器は制限されればよい。
【考案の効果】
【０００９】
以上のように開示の考案によれば、ひとの食事と犬の食事とを明確に区別することができる給仕用トレイは提供される。
は提供される。
【図面の簡単な説明】
【００１０】
【図１】本考案の第１実施形態に係る給仕用トレイの構造を概略的に示す斜視図である。
【図２】図１の２−２線に沿った垂直断面図である。
【図３】本考案の第２実施形態に係る給仕用トレイの構造を概略的に示す斜視図である。
【図４】本考案の第３実施形態に係る給仕用トレイの構造を概略的に示す斜視図である。
【考案を実施するための形態】
【００１１】
以下、添付図面を参照しつつ本考案の実施形態を説明する。
【００１２】
図１は本考案の第１実施形態に係る給仕用トレイの構造を概略的に示す。給仕用トレイ１１は、四角形の輪郭を有する平板で形成される底板１２を備える。底板１２の４隅は面取りされて曲線を描いてもよい。底板１２の周縁には、全周にわたって連続する囲い１３が形成される。囲い１３は、底板１２の周縁から立ち上がって底板１２を囲む。囲い１３は、底板１２の表面から一律に第１高さＨＬを有する。
【００１３】
給仕用トレイ１１は、囲い１３の内側で底板１２の表面から立ち上がって第２高さＨＨを有する仕切り１４を備える。ここでは、仕切り１４は、底板１２上に描かれる１直線上で線形に延び、両端で囲い１３に接続される。ただし、仕切り１４は、底板１２上に描かれる曲線上で延びて湾曲してもよい。第２高さＨＨは第１高さＨＬよりも高い。
【００１４】
仕切り１４は、囲い１３で囲まれる空間を分割する。ここでは、底板１２上の空間は２つに等分割される。したがって、仕切り１４は、四角形の対角線の交点を通過し、四角形の側辺に平行に延びればよい。
【００１５】
図２に示されるように、仕切り１４で仕切られる一方の空間では底板１２上にひとの食事に利用される食器１５ａ、１５ｂは載せられることができる。仕切り１４で仕切られる他方の空間では底板１２上に犬の食事に利用される食器１５ｃは載せられることができる。囲い１３よりも高い仕切り１４で区分けされるので、ひとは、視覚的にも、ひとの食事と犬の食事とを明確に区別することができる。犬に対して愛着を感じるけれども、犬の食事の配膳および後片付けと、自分の食事の配膳および後片付けとが１つのトレイで実施されることを好まないひとであっても、不快を感じずに済む。
【００１６】
特に、仕切り１４が高く設定されることで、運搬時に犬の食事が食器１５ｃから溢れても、仕切り１４を越えてひとの食事に混ざることは防止されることができる。ひとにも犬にも同じ素材で食事が作られるとしても、運搬時に犬の食事が食器１５ｃから溢れ、ひとの食事に混ざることを好まないひとであっても、不快を感じずに済む。店舗では、使用される食器１５ａ、１５ｂ、１５ｃは限定されることができるので、仕切り１４の高さＨＨは食器１５ａ、１５ｂ、１５ｃの最大高さＨＤよりも高く設定されればよい。
【００１７】
図３は本考案の第２実施形態に係る給仕用トレイ２１の構造を概略的に示す。給仕用トレイ２１は、円形の輪郭を有する平板で形成される底板２２を備える。底板２２の周縁には、全周にわたって連続する囲い２３が形成される。囲い２３は、底板２２の周縁から立ち上がって底板２２を囲む。囲い２３は、底板２２の表面から一律に第１高さＨＬを有する。
【００１８】
給仕用トレイ２１は、囲い２３の内側で底板２２の表面から立ち上がって第２高さＨＨを有する仕切り２４を備える。ここでは、仕切り２４は、底板２２上に描かれる１直線上で線形に延び、両端で囲い２３に接続される。ただし、仕切り２４は、底板２２上に描かれる曲線上で延びて湾曲してもよい。第２高さＨＨは第１高さＨＬよりも高い。
【００１９】
仕切り２４は、囲い１３で囲まれる空間を分割する。ここでは、底板２２上の空間は２つに等分割される。したがって、仕切り２４は、円形の中心を通過し、１直径線上に延びればよい。給仕用トレイ２１は給仕用トレイ１１と同様に利用されることができる。
【００２０】
図４は本考案の第３実施形態に係る給仕用トレイの構造を概略的に示す。給仕用トレイ３１は、四角形の輪郭を有する平板で形成される底板３２を備える。底板３２の４隅は面取りされて曲線を描いてもよい。底板３２の周縁には、全周にわたって連続する囲い３３が形成される。囲い３３は、底板３２の周縁から立ち上がって底板３２を囲む。囲い３３は、底板３２の表面から一律に第１高さＨＬを有する。底板１２の輪郭の側辺（短辺）に対応して囲い３３には１対の把持用開口３５が形成される。使用者は把持用開口３５に親指以外の４指を挿入して給仕用トレイ３１を把持することができる。
【００２１】
給仕用トレイ３１は、囲い３３の内側で底板３２の表面から立ち上がって第２高さＨＨを有する仕切り３４を備える。ここでは、仕切り３４は、底板３２上に描かれる１直線上で線形に延び、両端で囲い３３に接続される。ただし、仕切り３４は、底板３２上に描かれる曲線上で延びて湾曲してもよい。第２高さＨＨは第１高さＨＬよりも高い。
【００２２】
仕切り３４は、囲い３３で囲まれる空間を分割する。ここでは、底板３２上の空間は２つに等分割される。したがって、仕切り３４は、四角形の対角線の交点を通過し、四角形の測辺に平行に延びればよい。給仕用トレイ３１は給仕用トレイ１１と同様に利用されることができる。
【符号の説明】
【００２３】
１１…給仕用トレイ、１２…底板、１３…囲い、１４…仕切り、２１…給仕用トレイ、２２…底板、２３…囲い、２４…仕切り、３１…給仕用トレイ、３２…底板、３３…囲い、３４…仕切り、ＨＤ…食器の高さ、ＨＬ…第１高さ、ＨＨ…第２高さ。
【図１】
0003220112.tif 000003
【図２】
0003220112.tif 000004
【図３】
0003220112.tif 000005
【図４】
0003220112.tif 000006